(57)【要約】【課題】外部記憶部を用いてユーザが容易かつ確実にデータを保管できるようにする。【解決手段】携帯電話装置１０の接続管理手段２１で、外部記憶部３０の接続状態を表示部１２へ表示する。また一覧表示手段２２で、内部記憶部１５および外部記憶部３０に格納されているデータを、その格納場所に応じて色別で一覧表示する。また差分表示手段２３で、内部記憶部１５および外部記憶部３０に格納されているデータの差分を表示し、この差分表示手段２３で表示された差分データを、データ管理手段２４により内部記憶部１５および外部記憶部３０のうちの一方から他方へ移動または複写する。【選択図】　　　　図１
2004040624.tif 000002
【特許請求の範囲】
【請求項１】
当該携帯電話装置の内部に設けられた内部記憶部と、当該携帯電話装置へ着脱自在に接続される外部記憶部とを用いて、各種データを格納する携帯電話装置において、
各種データを画面表示する表示部と、
当該携帯電話装置に対する前記外部記憶部の接続状態を前記表示部へ表示する接続管理手段と、
前記内部記憶部および前記外部記憶部に記憶されている各データを一覧表示する際、前記内部記憶部にのみ格納されているデータ、前記外部記憶部にのみ格納されているデータ、および前記内部記憶部と前記外部記憶部の両方に格納されているデータをそれぞれ色別で一覧表示する一覧表示手段と、
前記内部記憶部および前記外部記憶部に格納されているデータの差分を表示する差分表示手段と、
前記差分表示手段で表示された差分データを前記内部記憶部および前記外部記憶部のうちの一方から他方へ移動または複写するデータ管理手段とを備えることを特徴とする携帯電話装置。
【請求項２】
請求項１記載の携帯電話装置において、
前記内部記憶部および前記外部記憶部に格納されている各データを等しくするための共通化処理を行うとともに、その共通化処理の前後において前記表示部で表示されている前記接続状態を変更表示する共通化手段をさらに備えることを特徴とする携帯電話装置。
【請求項３】
請求項２記載の携帯電話装置において、
前記共通化手段は、ユーザにより設定された所定タイミングに前記共通化処理を実施するとともに、その共通化処理が実施されている期間において前記表示部で表示されている前記接続状態を点滅表示することを特徴とする携帯電話装置。
【請求項４】
請求項１記載の携帯電話装置において、
前記外部記憶部の残記憶容量に応じて、前記表示部で表示されている前記接続状態を色別表示する容量管理手段をさらに備えることを特徴とする携帯電話装置。
【発明の詳細な説明】
【０００１】
【発明の属する技術分野】
本発明は、携帯電話装置に関し、特に着脱可能な外部記憶装置が接続される携帯電話装置に関するものである。
【０００２】
【従来の技術】
携帯電話装置では、音声による通信の他に文字メールによる通信が広く普及している。この場合、受信メール・送信メール等は、携帯電話装置内部のプリント配線板へ実装された読み書き可能な内部記憶部へ、それぞれのメールに対する受信した日時や送信者などの関連情報と合わせて格納される。また携帯電話装置の表示部へ表示をさせる時は、所定の操作により所望のメール内容とその関連情報も一緒に表示される。
また、携帯電話装置では、内部記憶部の有効利用を目的として、残り記憶容量が少なくなった場合には、古いメールから自動削除する機能もある。この際、受信したメールを保存しておきたい場合は、自動削除できないように保護することでいつまでも残しておくことが可能である。受信・送信メールを参照する時は、日時・送信者（受信者）・件名などの一覧表示することもできる。
【０００３】
従来の携帯電話の多くは、本体内部のプリント基板に実装された内部記憶手段へさまざまな情報を保存しているが、保存したいデータが増えて保存場所がなくなると、いずれかのデータを削除しなければならない。
このような内部記憶部の記憶容量不足を解消するため、携帯電話装置にメモリカードなどの着脱自在な外部記憶部を接続し、保存しておきたいデータを外部記憶部で保管するようにしたものがある。この場合、携帯電話装置で所定操作を行うことにより、内部記憶部に格納されている所望のデータを外部記憶部へ転送されるため、転送したデータ分だけ内部記憶部の残記憶容量を増やすことができる。
【０００４】
【発明が解決しようとする課題】
しかしながら、このような従来の携帯電話装置では、外部記憶部を用いてデータを保管する場合、ユーザに対する配慮が不十分で、ユーザが容易かつ確実にデータを管理できないという問題点があった。例えば、従来の携帯電話装置では、着脱自在な外部記憶部の接続状態を自動的に検出するものがあるが、その外部記憶部の接続状態がユーザに通知されないため、外部記憶部が携帯電話装置に接続されているかどうかを容易に確認できない。また、従来の携帯電話装置では、指定されたデータを単に内部記憶部から外部記憶部へ転送するものとなっているため、転送に先立って内部記憶部と外部記憶部におけるデータ記憶状況さらには保管要否をユーザが容易に確認できず、保管ミスも発生しやすい。
本発明はこのような課題を解決するためのものであり、外部記憶部を用いてデータを保管する場合、ユーザが容易かつ確実にデータを保管できる携帯電話装置を提供することを目的としている。
【０００５】
【課題を解決するための手段】
このような目的を達成するために、本発明にかかる携帯電話装置は、当該携帯電話装置の内部に設けられた内部記憶部と、当該携帯電話装置へ着脱自在に接続される外部記憶部とを用いて、各種データを格納する携帯電話装置において、各種データを画面表示する表示部と、当該携帯電話装置に対する外部記憶部の接続状態を表示部へ表示する接続管理手段と、内部記憶部および外部記憶部に記憶されている各データを一覧表示する際、内部記憶部にのみ格納されているデータ、外部記憶部にのみ格納されているデータ、および内部記憶部と外部記憶部の両方に格納されているデータをそれぞれ色別で一覧表示する一覧表示手段と、内部記憶部および外部記憶部に格納されているデータの差分を表示する差分表示手段と、差分表示手段で表示された差分データを内部記憶部および外部記憶部のうちの一方から他方へ移動または複写するデータ管理手段とを備えるものである。
【０００６】
内部記憶部および外部記憶部に格納されている各データを等しくするための共通化処理を行うとともに、その共通化処理の前後において表示部で表示されている接続状態を変更表示する共通化手段をさらに設けてもよい。
さらに、共通化手段で、ユーザにより設定された所定タイミングに共通化処理を実施するとともに、その共通化処理が実施されている期間において表示部で表示されている接続状態を点滅表示するようにしてもよい。
また、外部記憶部の残記憶容量に応じて、表示部で表示されている接続状態を色別表示する容量管理手段をさらに設けてもよい。
【０００７】
【発明の実施の形態】
次に、本発明の実施の形態について図面を参照して説明する。
図１は本発明の一実施の形態にかかる携帯電話装置の構成を示すブロック図である。
この携帯電話装置１０には、電波の受信・送信を行う無線部１１、各種データを画面表示する表示部１２、着信したときにユーザへ音や振動などで着信の報知を行う報知部１３、ユーザが着呼に応答した時に音声通信を行う通話部１４、受信メール・送信メールおよびこれらメールの関連情報や、通信相手先ごとの各種情報からなる電話帳データをはじめとする各種データを保存・記憶している内部記憶部１５、ユーザ操作を検出する操作部１７、および携帯電話装置１０全体の処理制御を行う制御部２０が設けられている。また、各種データを保管する外部記憶部３０を携帯電話装置１０へ接続するための接続部１６が設けられている。
【０００８】
制御部２０は、ＣＰＵなどのマイクロプロセッサとその周辺回路からなり、予めＣＰＵや内部記憶部１５に登録されているプログラムを実行することにより、接続管理手段２１、一覧表示手段２２、差分表示手段２３、データ管理手段２４、共通化手段２５および容量管理手段２６の各種機能手段を実現する。
【０００９】
接続管理手段２１では、携帯電話装置１０に対する外部記憶部３０の着脱に応じて接続部１６から通知された割り込みを検出し、表示部１２を用いて外部記憶部３０の接続状態を表示してユーザへ通知する。一覧表示手段２２では、内部記憶部１５および外部記憶部３０に格納されている全データのうち、ユーザに指定された条件に合致するデータを、その格納場所ごとに色別で一覧表示する。差分表示手段２３では、内部記憶部１５および外部記憶部３０に格納されているデータの差分を表示する。データ管理手段２４では、差分表示手段２３により表示された差分データを内部記憶部１５および外部記憶部３０のうちの一方から他方へ移動または複写する。
【００１０】
共通化手段２５では、内部記憶部１５と外部記憶部３０との間でデータの共通化処理を行うとともに、その共通化処理の前後において表示部１２で表示されている接続状態表示を変更表示する。また共通化手段２５では、ユーザにより設定された所定タイミングに共通化処理を実施するとともに、その共通化処理が実施されている期間において表示部１２で表示されている接続状態表示を点滅表示する。容量管理手段２６では、外部記憶部３０の記憶容量を管理し、その残容量に応じて表示部１２の接続状態表示を色別表示することにより残記憶容量の低減をユーザへ通知する。
【００１１】
次に、本実施の形態にかかる携帯電話装置の動作について説明する。
まず、図２を参照して、接続管理手段２１の処理動作について説明する。図２は接続管理手段２１の処理動作を示すフローチャートである。
外部記憶部３０が携帯電話装置１０へ装着された場合（ステップ１００）、接続部１６では外部記憶部３０の装着を電気的に検出し、その装着を示す割り込み信号を制御部２０へ出力する。制御部２０の接続管理手段２１では、この装着を示す割り込みを検出して（ステップ１０１）、携帯電話装置１０への外部記憶部３０の装着を確認する（ステップ１０２）。そして、表示部１２へ外部記憶部３０が接続されたことを示す接続状態表示を行い（ステップ１０３）、一連の接続管理処理を終了する。
【００１２】
一方、外部記憶部３０が携帯電話装置１０から取り外された場合（ステップ１０５）、接続部１６では外部記憶部３０の取り外しを電気的に検出し、その取り外しを示す割り込み信号を制御部２０へ出力する。制御部２０の接続管理手段２１では、この取り外しを示す割り込みを検出して（ステップ１０６）、携帯電話装置１０への外部記憶部３０の取り外しを確認する（ステップ１０７）。そして、表示部１２へ外部記憶部３０が取り外されたことを示す接続状態表示を行い（ステップ１０８）、一連の接続管理処理を終了する。
【００１３】
接続管理手段２１では、外部記憶部３０の装着または取り外しについては、外部記憶部３０の接続状態を示すアイコン（図柄）を表示部１２の画面に表示する。例えば、外部記憶部３０が装着されている状態では、メモリカードを示す図柄を表示し、取り外された状態ではメモリカードが接続されていないコネクタのみを示す図柄を表示するようにしてもよい。
したがって、ユーザは表示部１２を見るだけで、外部記憶部３０が現在装着されているかどうかを容易に確認することができる。
【００１４】
次に、図３に、外部記憶部３０の装着時における処理メニュー表示例を示す。
通話や携帯電話の各種設定等の操作などを行っていない待受け状態において、ユーザが操作部１７で所定の検索要求操作を行うと、これに応じて一覧表示手段２２により電話帳検索メニュー画面２００が表示部１２へ表示される。この画面２００では、検索方法として、名前、行、グループ、電話番号、アドレス、メモリ番号による検索メニューが用意されている。例えば、希望する検索方法がグループ毎の検索である場合「３．グループ検索」を選択すると、グループを選択するためのグループ検索メニュー画面２０１が表示される。
ここで、「３．グループ３」を選択すると、グループ３で登録されている電話帳データがグループ３一覧画面２０２として表示される。
【００１５】
このとき、制御部２０は、内部記憶部１５および外部記憶部３０から、所属グループとして予めグループ３が設定されている電話帳データを検索し、その電話帳データが格納されている記憶部ごとに色分け表示する。
例えば、グループ３に属している相手先の電話帳データのうち、名前３は外部記憶部３０にのみ保存されているデータであることから赤色で表示され、名前５と名前７は本体内部の記憶手段にのみ保存されているデータであることから青色で表示され、残りのデータは黒色で表示される。これにより、ユーザはデータの表示色によりそのデータの格納状況が一目で把握できるとともに、各記憶部の格納状況に差が存在していることがわかる。
【００１６】
また、このような画面２０２において、ユーザが操作部１７で所定の差分表示要求操作を行うと、これに応じて差分表示手段２３により差分表示メニュー画面２０３が表示部１２へ表示される。この画面２０３では、差分表示メニューとして、内部記憶部１５および外部記憶部３０に共通して格納されているデータを表示する「１．共通のみ」、外部記憶部３０（メモリカード）に格納されているデータを表示する「２．メモリカードのみ表示」、および内部記憶部１５（本体内部）に格納されているデータを表示する「３．本体内部のみ表示」が設けられている。
ここで、「３．本体内部のみ表示」を選択すると、グループ３に属する名前５と名前７のみがグループ３（本体内）画面２０４で一覧表示される。これにより、内部記憶部１５と外部記憶部３０との差分が一覧表示され、ユーザが両記憶部の格納状況でどのような差が存在しているか容易かつ詳細に把握できる。
【００１７】
この際、ユーザが内部記憶部１５にのみ保存されているデータを外部記憶部３０へ複写したいと考えている場合、ユーザが操作部１７で所定の処理要求操作を行うと、データ管理手段２４により処理メニュー画面２０５が表示される。この画面２０５では、処理メニューとして、一覧表示させたデータを内部記憶部１５から外部記憶部３０へ移動させる「１．メモリカードへ移動」、一覧表示させたデータを内部記憶部１５から外部記憶部３０へ複写させる「２．メモリカードへコピー」、一覧表示させたデータのうちのいずれか１件を削除する「３．１件削除」、一覧表示させたデータをすべて削除する「４．全部削除」が設けられている。
したがって、「２．メモリカードへコピー」を選択した場合、データ管理手段２４により、画面２０４で一覧表示させた名前５と名前７が外部記憶部３０へ複写され、内部記憶部１５内の全データが外部記憶部３０へ格納されたことになる。これにより、一覧表示した差分のデータのみを他方の記憶部へ、極めて簡単な操作で確実に複写または移動させることができる。
【００１８】
次に、図４を参照して、共通化手段２５の処理動作について説明する。図４は共通化手段２５の共通化監視処理動作を示すフローチャートである。
共通化手段２５では、外部記憶部３０が装着された場合、各々の記憶部に格納されているデータを比較し（ステップ１１０）、両者に相違点がある場合は（ステップ１１１：ＹＥＳ）、相違があることを表示部１２の外部記憶部３０の接続状態表示を用いて表示してユーザに通知する（ステップ１１２）。
ここで、操作部１７によりユーザからの共通化指示を検出した場合（ステップ１１３：ＹＥＳ）、内部記憶部１５と外部記憶部３０との間でデータを等しくするための共通化を実施する（ステップ１１４）。ここでは、一方の記憶部にのみ格納されているデータを他方の記憶部に複写する処理が行われる。
【００１９】
共通化処理終了後、共通化済みを示す表示として、共通化処理を実行する前に表示した外部記憶部３０の接続状態表示とは異なる表示内容へ変更した後、一連の共通化監視処理を終了する。
なお、ステップ１１１において、各々の記憶部に格納されているデータに相違点がなかった場合（ステップ１１１：ＮＯ）、上記ステップ１１５へ移行する。また、ステップ１１３において、ユーザからの共通化指示がない場合（ステップ１１３：ＮＯ）、上記ステップ１１２へ戻って共通化指示を待ってもよく、ステップ１１６へ移行して、共通化未実施の旨の警告を表示部１２へ表示した後、一連の共通化監視処理を終了するようにしてもよい。
【００２０】
このように、内部記憶部１５と外部記憶部３０に保存されているデータを共通化することが出きるので、データのバックアップを容易に行うことができる。また、共通化を実施する前と後とで外部記憶部３０の接続状態を示す表示部１２への表示内容を変化させるようにしたので、ユーザは両方の記憶部に保存されているデータ一覧等を表示部１２へ表示しなくても、接続状態を示す表示内容を見るだけで共通化されているかどうかを容易に確認することができる。なお、共通化処理の前後で変更する接続状態の表示内容としては、例えば図柄、色、点滅などの異なる表示方法を用いて識別表示すればよい。
【００２１】
図５に、データの共通化のためのメニュー画面例を示す。
待受け状態においてユーザが操作部１７で所定の共通化設定要求操作を行うと、制御部２０は、共通化設定メニュー画面２１０を表示部１２へ表示する。ここでは、共通化処理を行うタイミングを選択するメニューとして、「１．今すぐ」、「２．毎時」、「３．時刻指定（１回／日）」、「４．時刻指定（１回のみ）」、「５．曜日指定」、「６．電源ＯＦＦ時」、「７．指定なし」が設けられている。
【００２２】
この中で、今すぐを選択すると即時に共通化処理を開始する。毎時を選択すると、携帯電話本体内に持つ時計（図示せず）で１時間毎に共通化を実施する。時刻指定（１回／日）を選択した場合は時刻設定画面２１１へ切り替わり、毎日決まった時間に共通化処理を行うように制御部を設定することができる。また、時刻設定（１回のみ）を選択した場合は日時設定画面２１２へ切り替わり、指定した日時に１回だけ共通化処理を行うように制御部を設定することができる。さらに、曜日時刻指定を選択した場合は曜日時刻設定画面２１３へ切り替わり、毎週指定した曜日・時刻に共通化処理を行うように制御部を設定することができる。電源ＯＦＦ時を選択した場合は、装置の電源をＯＦＦ操作した時に共通化をを実施する。指定無しを選択した場合は、常に共通化をしないような設定である。
【００２３】
次に、図６を参照して、共通化手段２５での共通化応答処理動作について説明する。図６は、共通化手段の共通化応答処理を示すフローチャートである。
内部記憶部１５および外部記憶部３０の両方の格納内容に相違が存在する状態において、共通化手段２５では、まず両記憶部の格納内容に相違があることを外部記憶部３０の接続状態表示を用いて表示部１２へ表示する（ステップ１２０）。
ここで、上記画面２１０の指定無し以外が指定され（ステップ１２１：ＮＯ）、設定された時刻や曜日時刻等になった場合、あるいは今すぐが設定された場合（ステップ１２２：ＹＥＳ）、両記憶部に格納されているデータの共通化を開始する（ステップ１２３）。
【００２４】
そして、共通化が終了するまでの共通化を実施している間は（ステップ１２４：ＮＯ）、表示部１２へ共通化実施中であることをユーザへ知らせるための表示として、外部記憶部３０の接続状態表示を点滅させる（ステップ１２５）。また、共通化終了に応じて（ステップ１２４：ＹＥＳ）、共通化実施中表示を終了するとともに、共通化済みの表示を行い（ステップ１２６）、一連の共通化応答処理を終了する。
このように、両方の記憶部に保存されているデータを共通化するにあたり、ユーザが共通化実施タイミングを自由に設定することができるので、容易に定期的なバックアップをすることができる。また、共通化処理中は表示部１２へ表示される外部記憶部３０の接続状態を示す表示内容を点滅させるようにしたので、バックアップ作業が比較的時間が掛かる場合にはユーザが作業中であることを認識することができる。
【００２５】
次に、図７を参照して、容量管理手段２６の処理動作について説明する。図７は容量管理手段２６での容量管理処理を示すフローチャートである。
容量管理手段２６では、外部記憶部３０が装着された場合、その外部記憶部３０の記憶可能な全容量を取得するとともに（ステップ１３０）、追加書き込み可能な残容量を取得する（ステップ１３１）。
ここで、その残容量が所定の警告しきい値以下である場合、例えば残量０か新たなデータを格納するのに十分な容量がない場合（ステップ１３２：ＹＥＳ）、表示部１２で表示している外部記憶部３０の接続状態表示を、残量がないことを意味する警告色（例えば赤）へ変更する（ステップ１３３）。
【００２６】
また、残容量が警告しきい値を上回っているものの（ステップ１３２：ＮＯ）、所定の注意しきい値以下で残量が少ない場合には（ステップ１３４：ＹＥＳ）、表示部１２で表示している外部記憶部３０の接続状態表示を、残量が少ないことを意味する注意色（例えば黄）へ変更する（ステップ１３５）。また、残容量が警告しきい値を上回っている場合は（ステップ１３４：ＮＯ）、表示部１２で表示している外部記憶部３０の接続状態表示を、容量が十分にあることを意味する通常色（例えば緑）にて表示する（ステップ１３６）。
そして、外部記憶部３０に格納されているデータに変更があった場合には（ステップ１３７：ＹＥＳ）、上記ステップ１３１へ戻って表示色の更新処理を行う。
このように、外部記憶部３０の残容量をチェックし、その残容量の大きさに応じて外部記憶部３０の接続状態表示を色別表示するようにしたので、ユーザが容易に外部記憶部３０の残容量を把握でき、外部記憶部３０内の不要データ削除や他の外部記憶部３０への切り替えなど、適切な処置を迅速かつ容易に行うことができる。
【００２７】
【発明の効果】
以上説明したように、本発明は、当該携帯電話装置に対する外部記憶部の接続状態を表示部へ表示する接続管理手段と、内部記憶部および外部記憶部に記憶されている各データを一覧表示する際、内部記憶部にのみ格納されているデータ、外部記憶部にのみ格納されているデータ、内部記憶部と外部記憶部の両方に格納されているデータをそれぞれ色別で一覧表示する一覧表示手段と、内部記憶部および外部記憶部に格納されているデータの差分を表示する差分表示手段と、差分表示手段で表示された差分データを内部記憶部および外部記憶部のうちの一方から他方へ移動または複写するデータ管理手段とを設けたので、従来のように、単に内部記憶部から外部記憶部へ転送する場合と比較して、ユーザに対して十分配慮されるため、外部記憶部を用いてデータを保管する場合、ユーザが容易かつ確実にデータを管理できる。
【図面の簡単な説明】
【図１】本発明の一実施の形態にかかる携帯電話装置の構成を示すブロック図である。
【図２】接続管理手段の処理動作を示すフローチャートである。
【図３】外部記憶部の装着時における処理メニュー表示例である。
【図４】共通化手段の共通化監視処理動作を示すフローチャートである。
【図５】データの共通化のためのメニュー画面例である。
【図６】共通化手段の共通化応答処理を示すフローチャートである。
【図７】容量管理手段での容量管理処理を示すフローチャートである。
【符号の説明】
１０…携帯電話装置、１１…無線部、１２…表示部、１３…報知部、１４…通話部、１５…内部記憶部、１６…接続部、１７…操作部、２０…制御部、２１…接続管理手段、２２…一覧表示手段、２３…差分表示手段、２４…データ管理手段、２５…共通化手段、２６…容量管理手段、３０…外部記憶部。
【図１】
2004040624.tif 000003
【図２】
2004040624.tif 000004
【図３】
2004040624.tif 000005
【図４】
2004040624.tif 000006
【図５】
2004040624.tif 000007
【図６】
2004040624.tif 000008
【図７】
2004040624.tif 000009